(57)【要約】【課題】受信ユニットに対して送信信号を出力する送信機の性能や特性等の評価を行うに際して、送信機の送信操作に人手を要することなく、しかもバラツキを抑制できるようにする。【解決手段】所要の特定物体の動作に関する信号を受信する受信ユニットＲに対して送信信号を出力する送信機Ｔの試験装置１であって、送信機から放射される送信信号を受信ユニットに向かって反射させる反射体Ｇをを備え、該反射体Ｇの位置は、受信ユニットから送信機までの第１所定距離よりも大きい第２所定距離だけ、上記受信ユニットから離間した位置に設定されていることを特徴とする。【選択図】  図１
2004274575.tif 000002
【特許請求の範囲】
【請求項１】
所要の特定物体の動作に関する信号を受信する受信ユニットに対して送信信号を出力する送信機の試験装置であって、
上記送信機から放射される送信信号を上記受信ユニットに向かって反射させる電波反射手段を備え、
該電波反射手段の位置は、上記受信ユニットから上記送信機までの第１所定距離よりも大きい第２所定距離だけ、上記受信ユニットから離間した位置に設定されている、
ことを特徴とする送信機の試験装置。
【請求項２】
請求項１記載の試験装置において、上記電波反射手段は、上記送信機から放射される送信信号を反射させる反射体と、該反射体を支持する支持体とで構成されていることを特徴とする送信機の試験装置。
【請求項３】
請求項２記載の試験装置において、上記反射体は、線状部材で構成されていることを特徴とする送信機の試験装置。
【請求項４】
請求項２記載の試験装置において、上記反射体は、板状部材で構成されていることを特徴とする送信機の試験装置。
【請求項５】
請求項４記載の試験装置において、
上記板状部材は、曲面部分を備えていることを特徴とする送信機の試験装置。
【請求項６】
請求項４又は５に記載の試験装置において、
上記支持体は樹脂部材で構成される一方、上記反射体は金属部材で構成されていることを特徴とする送信機の試験装置。
【請求項７】
請求項３〜６の何れか一に記載の試験装置において、上記反射体は、上記支持体に関して非対称形に設定されていることを特徴とする送信機の試験装置。
【請求項８】
所要の特定物体の動作に関する信号を受信する受信ユニットに対して送信信号を出力する送信機の試験方法であって、
上記送信機を上記受信ユニットから第１所定距離だけ離間した位置に配置するとともに、
上記送信機から放射される送信信号を上記受信ユニットに向かって反射させる電波反射手段を、上記第１所定距離よりも大きい第２所定距離だけ離間した位置に配置し、
上記送信機からの直接波と上記電波反射手段からの反射波の両方を上記受信ユニットで受信し、その受信状態を試験する、
ことを特徴とする送信機の試験方法。
【発明の詳細な説明】
【０００１】
【発明の属する技術分野】
この発明は、例えばリモートコントロール（遠隔制御）システムなどにおいて、所要の特定物体の動作に関する信号を受信する受信ユニットに対して送信信号を出力する送信機の試験装置および試験方法に関する。
【０００２】
【従来の技術】
上記のようなリモートコントロールシステムの一種として、例えば自動車等の車両におけるドア等の開閉体の開閉動作を遠隔制御する、所謂、キーレスエントリーシステムは、従来公知である（例えば、特許文献１参照）。このシステムは、無線通信機能を有する携帯機（送信機）から送信されたロック・アンロック信号を車載の無線受信装置（受信機）で受信して開閉体のロック・アンロック機構を駆動することにより、当該開閉体のロック・アンロック状態を遠隔操作できるようにしたものである。
【０００３】
また、近年では、送信機と車載の受信機との交信データに基づいて、送信機に設定された固有の認証コードと、車載受信機に連携した制御装置のメモリに予め登録された認証コードとを対比した結果に基づいて、送信機での発信操作など特別な操作をわざわざ行う必要なしに、開閉体のロック・アンロック状態が自動制御されるようにした、所謂、パッシブ・キーレスエントリーシステムも知られており、一部では既に実用に供されている。
【０００４】
尚、かかるパッシブ・タイプのものを含めて、キーレスエントリーシステムは、車両の開閉体のみならず、例えば、ビルや家屋のドア等やガレージのシャッタなど、他の種々の開閉体についても、そのロック・アンロック状態を遠隔制御する上で有効に適用可能である。
【０００５】
ところで、かかるキーレスエントリシステムで例示されるリモートコントロールシステム等の送信機の性能や特性あるいは品質管理の評価を行う場合、従来では、送信機をテスト係員が手で持って送信操作を行い、その送信信号を受信機で受信して、その受信状態で評価するのが一般的である。
【０００６】
【特許文献１】
特開平７−１８４２８２号公報
【０００７】
【発明が解決しようとする課題】
ところが、この場合には、テスト対象の送信機で送信操作するのに人手を要し、しかも、送信機の近傍に送信機を保持した人物（テスト係員）の身体が位置しており、本願発明者等が研究開発過程で知見したところによれば、人体が一種の誘電体を構成することから、送信機からの送信波がこの人体で反射して送信性能や特性に影響を及ぼすという問題がある。
【０００８】
例えば、送信機を保持する人物が代わったり、送信機の持ち方が代わったり、また、人と送信機や受信機との距離が変化しただけで、評価対象の送信機の性能や特性に変化が現れ、テスト結果の再現性が十分でなく、その評価に大きなバラツキが出るという問題があった。
また、例えば、車両用のキーレスエントリシステムの場合について説明すれば、送信機および受信機の各アンテナは一般に指向性の無いものが用いられるが、送信機の近傍に人体が存在することで、その送信特性は複雑な指向性を帯びたものとなるのが一般的である。その結果、送信機との位置関係などによっては部分的に受信強度が極端に低くなる領域が生じ得る。
【０００９】
特に、このようなリモートコントロールシステムでは出力が一定以下の微弱電波が用いられるのが普通であり、送受信される電波の出力が本来的に微弱であることが、以上のような問題をより一層顕著にしている。
【００１０】
そこで、この発明は、所要の特定物体の動作に関する信号を受信する受信ユニットに対して送信信号を出力する送信機の性能や特性等の評価を行うに際して、送信機の送信操作に人手を要することなく、しかもバラツキを抑制できるようにすることを目的とする。
【００１１】
本願発明者等は、かかる目的達成のために鋭意研究開発を重ねる中で、上述のように、送信機からの送信が行われる際には、通常、当該送信機を保持した人物の身体が送信機の近傍に位置しており、人体が一種の誘電体を構成することから、送信機からの送信波がこの人体で反射して送信性能・特性に影響を及ぼし、これに起因して、テスト結果が不安定なものとなっていることを知見した。
【００１２】
【課題を解決するための手段】
このため、本願発明に係る送信機の試験装置は、所要の特定物体の動作に関する信号を受信する受信ユニットに対して送信信号を出力する送信機の試験装置であって、上記送信機から放射される送信信号を上記受信ユニットに向かって反射させる電波反射手段を備え、該電波反射手段の位置は、上記受信ユニットから上記送信機までの第１所定距離よりも大きい第２所定距離だけ、上記受信ユニットから離間した位置に設定されている、ことを特徴としたものである。
【００１３】
この場合において、上記電波反射手段は、具体的には、送信機から放射される送信信号を反射させる反射体と、該反射体を支持する支持体とで構成されることが好ましい。
【００１４】
また、この場合において、上記反射体は、線状部材で構成されても良く、或いは板状部材で構成されても良い。この場合、板状部材は曲面部分を備えていることがより好ましい。
【００１５】
更に、以上の場合において、上記支持体を樹脂部材で構成する一方、上記反射体は金属部材で構成することが好ましい。
また更に、以上の場合において、上記反射体は上記支持体に関して非対称形に設定されていることが好ましい。
【００１６】
また、本願発明に係る送信機の試験方法は、所要の特定物体の動作に関する信号を受信する受信ユニットに対して送信信号を出力する送信機の試験方法であって、上記送信機を上記受信ユニットから第１所定距離だけ離間した位置に配置するとともに、上記送信機から放射される送信信号を上記受信ユニットに向かって反射させる電波反射手段を、上記第１所定距離よりも大きい第２所定距離だけ離間した位置に配置し、そして、上記送信機からの直接波と上記電波反射手段からの反射波の両方を上記受信ユニットで受信して、その受信状態を試験する、ことを特徴としたものである。
【００１７】
【発明の実施の形態】
以下、本発明の実施の形態を、例えば、自動車のキーレスエントリシステムに用いられる送信機の試験に適用した場合について、添付図面を参照しながら詳細に説明する。
まず、本発明の実施形態の具体的な説明に先だって、送信機の近傍に位置する人体による反射波が送信機の性能・特性に及ぼす影響について、図８及び図９に基づいて説明する。
【００１８】
図８は、送信機の近傍に位置する人体による送信波の反射を示す説明図で、リモートコントロールシステムにおける送信機Ｔから受信機の受信アンテナＮｒへの送信状態を模式的に示す平面説明図である。
【００１９】
上記送信機Ｔからの送信波は例えば無指向で、その送信波の受信強度は送信機Ｔを中心とした円形に沿って略等しくなるが、受信アンテナＮｒが送信機Ｔの送信エリア内で距離的には十分な送信波を受信し得る位置にあっても、図８において破線で示されるように、実際に受信アンテナＮｒで直接に受信されるのは、送信エリア内のごく一部である部分エリアＳｔ内の送信波だけであり、残りの大部分の送信波は受信されないままである。
【００２０】
上記送信機Ｔは、当該送信機Ｔの保持者Ｊの例えば手に保持された状態で送信操作が行われる。つまり、送信機Ｔの近傍には、該送信機Ｔを保持した人物Ｊの身体が位置している。そして、人体Ｊが一種の誘電体を構成することから、図８において一点鎖線で示されるように、送信機Ｔからの送信波がこの人体Ｊで反射して反射波が生じる。
【００２１】
すなわち、反射体としての人体Ｊの存在により、送信機Ｔの送信エリア内の送信波のうち、上記人体Ｊの方位に対応する部分エリアＳｔｊ内の送信波は、当該人体ｊによって再放射され、一部のものは人体Ｊを透過して伝播し、残りのものは人体Ｊで反射される。
【００２２】
この再放射エリア内の再放射波のうち、受信アンテナＮｒの方位に対応する部分エリアＳｊ内の再放射波が、受信アンテナＮｒによって受信される。
このように、受信アンテナＮｒは送信機Ｔから直接に受信する直接波（部分エリアＳｔ内の送信波）だけでなく、上記反射体Ｊにより再放射で生じた再放射波（部分エリアＳｊ内の再放射波）をも受信できることになる。この場合、直接波と再放射波の位相が合えば（特に、位相が一致して同相になれば）、両者が互いに強め合って受信強度はそれだけ高くなる。
【００２３】
このような、送信機Ｔからの直接波と人体Ｊからの反射波を受信する場合、その受信強度は、送信機Ｔを保持する人物Ｊが代わったり、送信機Ｔの持ち方が代わったり、また、人Ｊと送信機Ｔや受信アンテナＮｒとの距離が変化しただけで変動する。
つまり、送信機Ｔの性能や特性あるいは品質管理の評価を行う場合、その評価結果は、上記のような種々の要因によって変動することになる。
【００２４】
例えば、送信機Ｔを保持した人物Ｊを回転テーブル上に載せ、送信機Ｔをテーブル中心に位置設定した状態で回転テーブルを回転させれば、送信機Ｔと受信アンテナＮｒとの位置関係は一定であるが、送信機Ｔの近傍に位置する人体Ｊと受信アンテナＮｒとの距離や方位等の位置関係が変化し、送信機Ｔを単独で配置した場合と、その送信特性が大きく変化することが判った。
【００２５】
図９は、送信機Ｔ単独の場合と人Ｊが送信機Ｔを保持した場合とについて、送信特性測定した結果を模式的に示す説明図である。図９において、破線曲線は送信機Ｔを単独で回転テーブルの中心に置いた場合の送信特性を示し、２点鎖線曲線は、テーブル中心に位置する送信機Ｔを人が保持した場合の送信特性を示している。
【００２６】
図９から良く分かるように、送信機Ｔを単独で回転テーブルの中心に置いた場合（図９：破線）には、テーブルを回転させても、送信機Ｔと受信アンテナＮｒとの位置関係は不変であり、送信特性は無指向のままである。
これに対して、テーブル中心に位置する送信機Ｔを人が保持した場合（図９：２点鎖線）には、テーブルを回転させると、たとえ送信機Ｔと受信アンテナＮｒとの位置関係は不変であっても、送信特性に指向性が帯びたものとなり、顕著な変化が見られた。
【００２７】
これは、後者の場合には、たとえ送信機Ｔと受信アンテナＮｒとの位置関係は不変であっても、受信アンテナＮｒと人体Ｊとの位置関係がテーブルの回転に伴って変化し、受信アンテナＮｒによる再放射波（つまり、人体Ｊによる反射波）の受信特性に大きな影響を及ぼすことによるものである。
【００２８】
このように、送信機Ｔの性能や特性あるいは品質管理の評価を行う場合、従来のように、送信機Ｔを人Ｊが手で持って送信操作を行い、その送信信号を受信アンテナＮｒで受信して、その受信状態で評価する方法では、人Ｊと送信機Ｔや受信アンテナＮｒとの距離や方位が変化しただけで、或いは、送信機Ｔを保持する人物Ｊが代わったり、送信機Ｔの持ち方が代わったりするだけで、評価対象の送信機Ｔの性能や特性に変化が現れ、テスト結果の再現性が十分でなく、その評価に大きなバラツキが出ることになる。
【００２９】
次に、本発明の実施の形態に係る送信機の試験装置および試験方法を、例えば、自動車のキーレスエントリーシステムに用いられる送信機の試験に適用した場合を例にとって説明する。
図１は、本実施の形態に係るキーレスエントリーシステム用の送信機Ｔの試験装置１を模式的に示す斜視図である。
【００３０】
この図に示されるように、本実施の形態に係る試験装置１は、試験対象たる送信機Ｔを支持する送信機支持ユニット１０と、該送信機支持ユニット１０に支持された上記送信機Ｔから放射される送信波を反射させるための反射体Ｇを備えた反射体ユニット２０と、両ユニット１０，２０を搭載し床面上を自在に移動し得る台車３０とを備えている。
【００３１】
上記送信機支持ユニット１０は、台座１１上に立設された柱状の支持ポール１２と、該支持ポール１２の途中部に取り付けられた送信機支持台１３と、該送信機支持台１３よりも上方に配置された押下機１４とを備えている。上記送信機支持台１３は、支持ポール１２に沿って上下方向に位置調節可能で、試験対象たる発信機Ｔの高さ位置を所望の位置に設定することができる。
【００３２】
この発信機Ｔの高さ位置は、標準的な背丈の人が持つ高さとして想定された高さ位置に設定される。或いは、パッシブキーレスエントリーシステムにおける場合のように、送信機Ｔが人のポケット内に収納されている場合を想定して、発信機Ｔの高さ位置を設定するようにしても良い。
【００３３】
また、上記押下機１４は支持ポール１２に沿って上下方向にスライド動作可能で、下方にスライド動作することにより、発信機支持台１３上に支持された発信機Ｔの発信ボタンを押下して発信操作を行うことができる。尚、この押下機１４は、試験装置１の制御ユニット（不図示）に信号授受可能に接続されており、制御ユニットからの命令信号に応じて上下スライド動作を行うようになっている。
【００３４】
反射体ユニット２０は、台座２１上に立設された柱状の支持ポール２２と、該支持ポール２２の所定高さ位置に取り付けられた反射体Ｇとを備えている。この反射体Ｇは、上記送信機支持ユニット１０の支持台１３上に支持された送信機Ｔから放射される送信波を、本試験システムの受信ユニットＲに向かって反射させるために設けられたものである。
【００３５】
本実施の形態では、該反射体Ｇは、例えば所定外径および長さを有する金属製の円柱状に形成されている。尚、反射体を金属板で中空状に形成しても良い。また、金属製に限られることなく、電波を有効に再放射させる誘電体材料を用いることができる。
反射ユニット２０の支持ポール２２の材料としては、電波に影響を及ぼすことのない材料、例えば、樹脂が用いられる。支持ポール２２を樹脂製とすることにより、金属製の反射体Ｇを台車３０に対して電気的に絶縁することができ、より効率の高い再放射を行わせることができる。
【００３６】
本試験システムでは、自動車Ｍの車室内の所定箇所に受信機Ｒが配設されており、この受信機Ｒの受信アンテナＮｒで上記送信機Ｔが送信した送信波を受信し、その受信強度等を計測することにより、当該送信機Ｔの送信性能や特性あるいは品質レベルを試験するようになっている。尚、上記自動車Ｍの少なくとも運転席ドアには、当該ドアをロック（施錠）・アンロック（解錠）するために、従来周知のロック・アンロック機構が付設されている。
【００３７】
上記台車３０を床面に沿って移動させることにより、送信機支持ユニット１０の（つまり送信機Ｔの）受信アンテナＮｒに対する距離および方位を調節することができる。このように、台車３０を位置調節することにより、試験対象の送信機Ｔを受信ユニットＲから（つまり受信アンテナＮｒから）所定距離（第１所定距離）だけ離間した箇所に位置させる。
【００３８】
上記反射体ユニット２０は、送信機支持ユニット１０から、上記第１所定距離よりも短い所定距離（第２所定距離）だけ、反受信ユニットＲ側に離間するように、台車３０上で位置設定されている。この第２所定距離は、人が送信機Ｔを持って操作する場合における送信機Ｔと人体との距離を想定して定められる。或いは、パッシブキーレスエントリーシステムにおける場合のように、送信機Ｔが人のポケット内に収納されている場合を想定して、この第２所定距離を非常に短く設定することもできる。
【００３９】
また、反射体ユニット２０は、より好ましくは、受信アンテナＮｒと送信機Ｔとを結ぶ直線に対して所定量だけ偏った（オフセットした）箇所に位置するように設定されている。このように位置設定することにより、反射体Ｇと送信機Ｔとの位置関係を、人が送信機Ｔを持って操作する場合により近いものとすることができる。
【００４０】
以上のようにして、送信機Ｔおよび反射体Ｇの位置を設定した上で、上記押下機１４を駆動して下方へスライドさせ、送信機Ｔの操作ボタンを押下させることにより、送信機Ｔから送信信号が出力されると共に、この送信波が反射体Ｇで反射される。こうして反射体Ｇで反射された反射波と、送信機Ｔからの直接波とが受信アンテナＮｒで受信され、送信機Ｔの評価が行われるようになっている。
【００４１】
このように、送信機Ｔを受信ユニットＲから第１所定距離だけ離間した位置に配置するとともに、送信機Ｔから放射される送信信号を受信ユニットＲに向かって反射させる反射体Ｇを、上記第１所定距離よりも大きい第２所定距離だけ受信ユニットＲから離間した位置に配置し、そして、送信機Ｔからの直接波と電波反射手段からの反射波の両方を上記受信ユニットＲの受信アンテナＮｒで受信して、その受信状態を試験することにより、上記反射体Ｇを、送信機Ｔを保持する人の身体等の誘電体に模した一種のダミーとして試験を行うことができる。
【００４２】
このように位置設定した反射体Ｇを人体等の誘電体に模したダミーとして用いることにより、送信機Ｔからの送信波が人体で反射することによる送信性能や特性への影響を加味することができ、しかも、ダミー（反射体Ｇ）と送信機Ｔや受信ユニットＲとの距離を一定に保つことができる。
これにより、従来、人が送信機を手で持って試験していた場合のように、人手を要することはない。また、相互の距離が変動することによる評価対象の送信機Ｔの性能や特性への影響を排除でき、試験結果について高い再現性を確保できる。そして、試験結果が不安定で評価に大きなバラツキが出ることを抑制することができるのである。
【００４３】
特に、送信機Ｔは送信機支持ユニット１０で支持され、反射体Ｇは反射体ユニット２０に支持されて、相互の位置関係が正確に定められ、また、これが不用意に変動することがない。すなわち、従来、人が送信機を手で持って試験していた場合のように、送信機を保持する人物が代わったり送信機の持ち方が代わったりすることによる試験結果のバラツキを心配する必要もない。
【００４４】
上記反射体Ｇの態様としては、例えば、省スペース化を図るため、或いは人体の外形形状により近似した形状を得る等のために、種々の変形例が可能である。
次に、反射体Ｇの各種変形例について説明する。尚、以下の説明において、上述の図１の実施形態における場合と、同様の構成を備え同様の作用を成すものについては同一の符号を付し、それ以上の説明は省略する。
【００４５】
図２及び図３には、第１及び第２変形例に係る反射体Ｇ１及びＧ２をそれぞれ備えた反射体ユニットを示している。図２に示された第１変形例に係る反射体Ｇ１は、例えば金属製で線状に形成されている。また、図３に示された第２変形例に係る反射体Ｇ２は、例えば金属製で板状に形成されている。
【００４６】
このように、反射体を線状部材（反射体Ｇ１）あるいは板状部材（反射体Ｇ２）で構成することにより、反射体の設置スペースを抑制でき、レイアウトの自由度も高めることができる。特に、板状部材（反射体Ｇ２）で曲面部分を設けた場合には、人体の外形形状により近似した反射体を構成することができ、より実際に近い電波の反射状態を得ることができる。
尚、反射体Ｇ１，Ｇ２の長さについて、特に反射体を線状部材で構成する場合（反射体Ｇ１）には、その長さを送信機Ｔの送信波の波長の１／２に設定することが好ましい。かかる長さに設定することにより、一層効率の良い再放射を行わせることができる。
【００４７】
また、図４及び図５は、第３及び第４変形例に係る反射体Ｇ３及びＧ４をそれぞれ示す平面説明図である。これらの変形例は、送信機Ｔを保持した人の身体の位置および外形形状により近似した反射体を得るために、反射体Ｇ３，Ｇ４を支持ポール２２に関して非対称形に設定したものである。
図４（ａ）は、例えば金属製の線状部材を用いて構成され、その中央を支持ポール２２で左右対称に支持される反射体Ｇ３’を示している。この支持ポール２２に関して対称な反射体Ｇ３’を変形させることで、図４（ｂ）に示されるように、支持ポール２２に関して非対称で、送信機Ｔを保持した人の身体の位置や外形形状により近似した形状の反射体Ｇ３が得られる。
【００４８】
また、図５（ａ）は、例えば平面視で円形の金属製の板状部材を用いて構成され、その中心を支持ポール２２で円対称に支持される反射体Ｇ４’を示している。この支持ポール２２に関して円対称な反射体Ｇ４’を変形させることで、図５（ｂ）に示されるように、支持ポール２２に関して非対称で、送信機Ｔを保持した人の身体の位置や外形形状により近似した形状の反射体Ｇ４が得られる。
この場合、特に、反射体Ｇ３，Ｇ４を加工容易なアルミニウム製とすることで、人体の外形形状により近似した反射体Ｇ３，Ｇ４をより容易に構成することができる。
【００４９】
更に、図６及び図７は、第５変形例に係る反射体Ｇ５を示している。この第５変形例では、送信機Ｔを保持した人の身体の位置および外形形状により近似した反射体を得るために、支持ポール２２’を円筒形とし、その円筒状の支持ポール２２’の表面に非対称形の反射体Ｇ５が支持されている。
上記支持ポール２２’は、電波に影響を及ぼすことのない樹脂部材で構成され、一方、上記反射体Ｇ５は電波を有効に再放射させる金属部材で構成されており、送信機からの送信波をより有効に再放射させることができる。本変形例では、上記反射体Ｇ５を構成する金属部材として、例えば加工容易な板状のアルミニウム部材を用いた。
【００５０】
この場合、特に、支持ポール２２’を樹脂製としたことにより、反射体Ｇ５を周囲の部材に対して電気的に絶縁することができ、より効率の高い再放射を行わせることができる。また、支持ポール２２’を円筒形とし、その表面に支持される反射体Ｇ５を加工容易なアルミニウム部材で構成することで、人体の外形形状により一層近似した曲面部分を有する反射体Ｇ５をより容易に構成することができるのである。
【００５１】
尚、以上の実施の形態は、自動車のキーレスエントリーシステムに適用した場合についてのものであったが、本発明に係るリモートコントロールシステムは、かかる場合に限定されるものではなく、例えば、ビルや家屋のドア等やガレージのシャッタなど、他の種々の開閉体についても、そのロック・アンロック状態を遠隔制御する上で有効に適用可能である。
【００５２】
このように、本発明は、以上の実施態様に限定されるものではなく、その要旨を逸脱しない範囲において、種々の改良あるいは設計上の変更が可能であることは言うまでもない。
【００５３】
【発明の効果】
本願発明に係る送信機の試験装置によれば、送信機から放射される送信信号を受信ユニットに向かって反射させる電波反射手段を設け、その電波反射手段の位置を、受信ユニットから送信機までの第１所定距離よりも大きい第２所定距離だけ、上記受信ユニットから離間した位置に設定することにより、上記電波反射手段を、送信機を保持する人の人体等の誘電体に模した一種のダミーとして試験を行うことができる。
すなわち、このように位置設定した電波反射手段を人体等の誘電体に模したダミーとして用いることにより、送信機からの送信波が人体で反射することによる送信性能や特性への影響を加味することができ、しかも、ダミーと送信機や受信ユニットとの距離を一定に保つことができる。これにより、従来、人が送信機を手で持って試験していた場合のように、人手を要することはない。また、相互の距離が変動することによる評価対象の送信機の性能や特性への影響を排除でき、試験結果について高い再現性を確保できる。そして、試験結果が不安定で評価に大きなバラツキが出ることを抑制することができる。
【００５４】
この場合において、上記電波反射手段を、具体的には、送信機から放射される送信信号を反射させる反射体と、該反射体を支持する支持体とで構成することにより、反射体をより安定して所定の位置に支持することができる。
【００５５】
また、この場合において、上記反射体を線状部材あるいは板状部材で構成することにより、反射体の設置スペースを抑制でき、レイアウトの自由度も高めることができる。特に、板状部材で曲面部分を設けることにより、人体の外形形状により近似した反射体を構成することができ、より実際に近い電波の反射状態を得ることができる。
【００５６】
更に、以上の場合において、上記支持体を電波に影響を及ぼすことのない樹脂部材で構成する一方、上記反射体は電波を有効に再放射させる金属部材で構成することにより、送信機からの送信波をより有効に再放射させることができる。特に、支持体を樹脂製としたことにより、反射体を周囲の部材に対して電気的に絶縁することができ、より効率の高い再放射を行わせることができる。
【００５７】
また更に、以上の場合において、上記反射体を支持体に関して非対称形に設定することにより、送信機を保持した人の身体の位置および外形形状により近似した反射体を構成することができる。
【００５８】
また、本願発明に係る送信機の試験方法によれば、送信機を受信ユニットから第１所定距離だけ離間した位置に配置するとともに、送信機から放射される送信信号を受信ユニットに向かって反射させる電波反射手段を、上記第１所定距離よりも大きい第２所定距離だけ離間した位置に配置し、そして、送信機からの直接波と電波反射手段からの反射波の両方を上記受信ユニットで受信して、その受信状態を試験することにより、上記電波反射手段を、送信機を保持する人の身体等の誘電体に模した一種のダミーとして試験を行うことができる。
すなわち、このように位置設定した電波反射手段を人体等の誘電体に模したダミーとして用いることにより、送信機からの送信波が人体で反射することによる送信性能や特性への影響を加味することができ、しかも、ダミーと送信機や受信ユニットとの距離を一定に保つことができる。これにより、従来、人が送信機を手で持って試験していた場合のように、人手を要することがなく、相互の距離が変動することによる評価対象の送信機の性能や特性への影響を排除でき、試験結果について高い再現性を確保できる。そして、試験結果が不安定で評価に大きなバラツキが出ることを抑制することができる。
【図面の簡単な説明】
【図１】本発明の実施の形態に係る送信機の試験装置を模式的に示す斜視図である。
【図２】上記試験装置の反射体の第１変形例を示す斜視図である。
【図３】上記反射体の第２変形例を示す斜視図である。
【図４】反射体の第３変形例を示す説明図で、（ａ）は対称状態を示す平面説明図であり、（ｂ）は非対象形への変形状態を示す平面説明図である。
【図５】反射体の第４変形例を示す説明図で、（ａ）は対称状態を示す平面説明図であり、（ｂ）は非対象形への変形状態を示す平面説明図である。
【図６】反射体の第５変形例を示す斜視図である。
【図７】図６のＹ７−Ｙ７矢印方向からの矢視図で、上記第５変形例に係る反射体の平面説明図である。
【図８】送信機近傍の人体による送信波の反射を示す図で、人が保持した送信機から受信アンテナへの送信状態を模式的に示す平面説明図である。
【図９】送信機単独の場合と人が送信機を保持した場合とについて、送信特性を測定した結果を模式的に示す説明図である。
【符号の説明】
１…試験装置
１０…送信機支持ユニット
２０…反射体ユニット
２２，２２’…（反射体ユニットの）支持ポール
Ｇ，Ｇ１，Ｇ２，Ｇ３，Ｇ４，Ｇ５…反射体
Ｍ…自動車
Ｎｒ…受信アンテナ
Ｒ…受信ユニット
Ｔ…送信機
【図１】
2004274575.tif 000003
【図２】
2004274575.tif 000004
【図３】
2004274575.tif 000005
【図４】
2004274575.tif 000006
【図５】
2004274575.tif 000007
【図６】
2004274575.tif 000008
【図７】
2004274575.tif 000009
【図８】
2004274575.tif 000010
【図９】
2004274575.tif 000011